(57)【要約】【課題】建築物を構成する建材への漏水を低減可能とする屋外構造物の固定方法を得ること。【解決手段】建築物の屋外側に設置される構造物を固定する方法であって、建築物を構成する建材である野地板４を被覆する外装材である屋根葺き材６に下穴１１を形成する工程と、外装材と建材との間において、下穴１１の周囲に空隙１４を形成する工程と、空隙１４にシール材１５を充填する工程と、構造物である取付金具１０と下穴１１とを通された固着具である木ネジ８を建材へ締め込む工程と、を含む。【選択図】図６
2019135369.tif 000002
【特許請求の範囲】
【請求項１】
建築物の屋外側に設置される構造物を固定する方法であって、
前記建築物を構成する建材を被覆する外装材に下穴を形成する工程と、
前記外装材と前記建材との間において、前記下穴の周囲に空隙を形成する工程と、
前記空隙にシール材を充填する工程と、
前記構造物と前記下穴とを通された固着具を前記建材へ締め込む工程と、
を含むことを特徴とする屋外構造物の固定方法。
【請求項２】
防水性を有するシートが前記外装材および前記建材の間に設けられ、前記外装材と前記シートとの間に前記空隙を形成することを特徴とする請求項１に記載の屋外構造物の固定方法。
【請求項３】
防水性を有するシートが前記外装材および前記建材の間に設けられ、前記建材と前記シートとの間に前記空隙を形成することを特徴とする請求項１に記載の屋外構造物の固定方法。
【請求項４】
前記下穴の形成に使用される切削工具に取り付けられている治具の先端を前記外装材のうち前記下穴の周囲へ押し当てることにより前記空隙を形成することを特徴とする請求項１から３のいずれか１つに記載の屋外構造物の固定方法。
【請求項５】
前記下穴が形成された前記外装材に載置された前記構造物に前記シール材を充填し、
前記構造物に充填された前記シール材を通された前記固着具の締め込みにより、前記締め込みによる前記固着具の進行方向とは逆の方向へ前記外装材を押し上げて前記空隙を形成し、かつ前記締め込みに伴う前記シール材の押し出しにより前記空隙に前記シール材を充填することを特徴とする請求項１から３のいずれか１つに記載の屋外構造物の固定方法。
【請求項６】
前記下穴が形成された前記外装材との間に粘着性を有する介在部品を介在させて前記構造物を載置して、
前記構造物および前記介在部品とともに前記建材から前記外装材を持ち上げて前記空隙を形成することを特徴とする請求項１から３のいずれか１つに記載の屋外構造物の固定方法。
【請求項７】
集塵機の吸引力により前記建材から前記外装材を持ち上げて前記空隙を形成することを特徴とする請求項１から３のいずれか１つに記載の屋外構造物の固定方法。
【請求項８】
前記シール材を注入する注入ノズルが前記集塵機に接続されたダクトと一体とされており、前記集塵機による前記ダクトからの吸引とともに前記注入ノズルが前記シール材を注入することにより前記空隙へ前記シール材を入り込ませることを特徴とする請求項７に記載の屋外構造物の固定方法。
【請求項９】
磁力により前記建材から前記外装材を持ち上げて前記空隙を形成することを特徴とする請求項１から３のいずれか１つに記載の屋外構造物の固定方法。
【請求項１０】
前記シール材を注入する注入ノズルに永久磁石が装着されており、前記永久磁石の磁力により前記永久磁石へ前記外装材を引き寄せるとともに前記注入ノズルが前記シール材を注入することにより前記空隙へ前記シール材を入り込ませることを特徴とする請求項９に記載の屋外構造物の固定方法。
【請求項１１】
建築物の屋外側に設置される構造物を固定する構造であって、
前記建築物を構成する建材を被覆する外装材と、前記外装材および前記建材の間に設けられており防水性を有するシートと、前記構造物とを通されて、前記建材へ締め込まれている固着具と、
前記外装材と前記シートとの間または前記建材と前記シートとの間において、前記固着具の周囲に充填されているシール材と、
を備えることを特徴とする屋外構造物の固定構造。
【請求項１２】
請求項４に記載の屋外構造物の固定方法において使用する工具であって、
前記工具は、前記外装材に形成される前記下穴の直径より大きい直径の円に沿って設けられている前記先端を有する前記治具であることを特徴とする工具。
【請求項１３】
請求項８に記載の屋外構造物の固定方法において使用する工具であって、
前記注入ノズルと、
前記注入ノズルの周囲を取り囲む前記ダクトと、
を備えることを特徴とする工具。
【請求項１４】
請求項１０に記載の屋外構造物の固定方法において使用する工具であって、
前記注入ノズルと、
前記永久磁石と、
前記シール材が貯留されたシール材容器と、
前記永久磁石に接触された状態で前記注入ノズルに固定され、成分に磁性体を含む部品と、を備え、
前記部品は、直線を含む外縁を有する板部と、前記板部から立てられた側部とを有し、
前記直線における前記側部と前記工具の中心線との間の長さは、前記シール材容器の外面と前記中心線との間の長さより長いことを特徴とする工具。
【発明の詳細な説明】
【技術分野】
【０００１】
本発明は、建築物の屋外側に設置される構造物を固定する屋外構造物の固定方法、屋外構造物の固定構造および工具に関する。
【背景技術】
【０００２】
建築物の屋外側に設置される構造物には、住宅の屋根に設置される太陽電池モジュールなどがある。太陽電池モジュールは、太陽電池モジュールの取付金具に通された木ネジにより、屋根を構成する建材である野地板に固定されることがある。木ネジは、屋根を覆う外装材である屋根葺き材と野地板の表面に敷かれた防水シートとを貫いて、野地板に締め込まれる。
【０００３】
特許文献１には、木ネジが通される孔からの雨水の入り込みによる建材への漏水を防ぐために、シール材が巻き付けられた木ネジを野地板へ締め込んで太陽電池モジュールを固定する方法が開示されている。防水シートを突き破らせた木ネジが野地板へ締め込まれることで、木ネジの周囲では野地板により押し返されたシール材が、防水シートに形成された孔の周囲に堆積する。これにより、防水シートに形成された孔が堆積したシール材により封止される。
【先行技術文献】
【特許文献】
【０００４】
【特許文献１】特開２０１３−１９００３１号公報
【発明の概要】
【発明が解決しようとする課題】
【０００５】
特許文献１の技術では、複数の屋根葺き材の一部同士を重ね合わせて屋根葺き材が敷きつめられた屋根において、屋根葺き材と防水シートとの間に形成される空間を利用してシール材を堆積可能とする。形成される空間は、屋根葺き材の厚みと同等の高さの空間であることから、屋根葺き材が０．４ｍｍ程度の厚みの金属板である場合は、形成される空間が小さくなる。この場合、屋根葺き材と防水シートとの間にシール材を堆積させることができず、木ネジが通される孔から建材への漏水を防ぐことが困難となる。木ネジが通される孔を金属屋根材に形成する際に、金属屋根材の孔の周囲には、「バリ」と称される突起が生じることがある。突起が生じることで、屋根葺き材と防水シートとの間へのシール材の入り込みが突起にて遮られてしまうことから、屋根葺き材と防水シートとの間への雨水の入り込みによる漏水を防ぐことが困難となる。
【０００６】
本発明は、上記に鑑みてなされたものであって、建築物を構成する建材への漏水を低減可能とする屋外構造物の固定方法を得ることを目的とする。
【課題を解決するための手段】
【０００７】
上述した課題を解決し、目的を達成するために、本発明にかかる屋外構造物の固定方法は、建築物の屋外側に設置される構造物を固定する方法である。本発明にかかる屋外構造物の固定方法は、建築物を構成する建材を被覆する外装材に下穴を形成する工程と、外装材と建材との間において、下穴の周囲に空隙を形成する工程と、空隙にシール材を充填する工程と、構造物と下穴とを通された固着具を建材へ締め込む工程と、を含む。
【発明の効果】
【０００８】
本発明によれば、建築物を構成する建材への漏水を低減できるという効果を奏する。
【図面の簡単な説明】
【０００９】
【図１】本発明の実施の形態１にかかる屋外構造物の固定構造を示す図
【図２】実施の形態１にかかる屋外構造物の固定方法の第１の工程について説明する図
【図３】実施の形態１にかかる屋外構造物の固定方法の第２の工程について説明する図
【図４】実施の形態１にかかる屋外構造物の固定方法の第３の工程について説明する図
【図５】図４に示す構成にゴムシートと取付金具とが載置された状態を示す図
【図６】実施の形態１にかかる屋外構造物の固定方法の第４の工程について説明する図
【図７】実施の形態２にかかる屋外構造物の固定方法により下穴が形成された状態を示す図
【図８】実施の形態２にかかる屋外構造物の固定方法により取付金具へシール材が充填された状態を示す図
【図９】図７に示す下穴およびその周囲の部分と木ネジのうち先端を含む部分との拡大図
【図１０】実施の形態２にかかる屋外構造物の固定方法により木ネジが締め込まれている状態を示す第１の図
【図１１】実施の形態２にかかる屋外構造物の固定方法により木ネジが締め込まれている状態を示す第２の図
【図１２】実施の形態２にかかる屋外構造物の固定方法により木ネジが締め込まれた状態を示す図
【図１３】実施の形態２の変形例にかかる屋外構造物の固定方法において使用される木ネジの要部側面を示す図
【図１４】実施の形態３にかかる屋外構造物の固定方法によりシール材が充填された状態を示す図
【図１５】実施の形態３にかかる屋外構造物の固定方法により木ネジが締め込まれた状態を示す図
【図１６】実施の形態４にかかる屋外構造物の固定方法によりシール材が充填された状態を示す図
【図１７】実施の形態４にかかる屋外構造物の固定方法により木ネジが締め込まれた状態を示す図
【図１８】実施の形態５にかかる屋外構造物の固定方法によりシール材が充填された状態を示す図
【図１９】実施の形態５にかかる屋外構造物の固定方法において使用される工具の一例である注入器を示す図
【図２０】図１９に示す注入器が屋根葺き材に置かれている状態を示す図
【図２１】実施の形態６にかかる屋外構造物の固定方法によりシール材が充填された状態を示す図
【図２２】実施の形態６にかかる屋外構造物の固定方法により木ネジが締め込まれた状態を示す図
【発明を実施するための形態】
【００１０】
以下に、本発明の実施の形態にかかる屋外構造物の固定方法、屋外構造物の固定構造および工具を図面に基づいて詳細に説明する。なお、この実施の形態によりこの発明が限定されるものではない。
【００１１】
実施の形態１．
図１は、本発明の実施の形態１にかかる屋外構造物の固定構造１を示す図である。実施の形態１にかかる固定構造１は、建築物の屋外側に設置される構造物を固定する構造である。実施の形態１では、建築物は木造の一般住宅であって、構造物は太陽電池モジュール２とする。太陽電池モジュール２は、住宅の屋根３に設置される。屋根３は、水平面に対して傾斜している。なお、構造物には、太陽電池モジュール２を屋根３に取り付けるための取付金具１０が含まれるものとする。図１は、屋根３と、屋根３に設置されている太陽電池モジュール２と、取付金具１０と、固定構造１とを含む断面を示している。図１では、断面を示すハッチングを省略している。図１において、屋根３より下側は屋内であって、屋根３より上側は屋外である。
【００１２】
屋根３は、屋根３を構成する建材である野地板４と、屋内側への雨水の入り込み防止のための防水シート５と、防水シート５とともに野地板４を被覆する外装材である複数の屋根葺き材６とを有する。野地板４は、複数の板状の木材を貼り合わせて構成された構造用合板であって、防水シート５と屋根葺き材６とが載せられる下地材である。
【００１３】
防水シート５は、野地板４のうち屋外側の面を覆う。防水シート５は、防水性を有するシートである。防水シート５の１つの例は、合成繊維不織布にアスファルトを含浸させたアスファルトルーフィングである。防水シート５のうち野地板４側の面には、接着材料からなる接着層が設けられている。防水シート５は、接着層により野地板４に接着されている。図１では、接着層の図示を省略している。
【００１４】
防水シート５の上に設けられた屋根葺き材６は、０．４ｍｍ程度の厚みの金属板である。金属板は、トタン板、ステンレス板、またはガルバリウム鋼板（登録商標）である。金属板は、圧延成形あるいはその他の手法により製造される。複数の屋根葺き材６は、互いに隣り合う屋根葺き材６同士が一部を重ね合わせた状態とされて、防水シート５の上に敷き詰められている。屋根葺き材６の屋外側の面は、太陽電池モジュール２が設置される設置面とされる。なお、金属板には、トタン板、ステンレス板、およびガルバリウム鋼板以外の金属板が使用されても良い。屋根葺き材６の厚みは、０．４ｍｍ未満であっても良く、０．４ｍｍよりも大きくても良い。
【００１５】
取付金具１０は、設置面に固定されて、設置面にて太陽電池モジュール２を支持する部品である。取付金具１０のフランジ部１０ａと屋根葺き材６との間には、ゴムシート７が挟み込まれている。ゴムシート７は、弾性体からなるシートであって、粘着性を有していても良い。実施の形態１では、ゴムシート７には、弾性体であるとともに粘着性を備えるブチルゴムが使用される。粘着性を有するゴムシート７が使用された場合、取付金具１０は、ゴムシート７により屋根葺き材６に接着される。ゴムシート７には、ブチルゴム以外の弾性体が使用されても良い。
【００１６】
木ネジ８と後述するシール材とは、固定構造１を構成する。木ネジ８は、木材の締結に使用される固着具である。木ネジ８は、取付金具１０のフランジ部１０ａと屋根葺き材６とに設けられた孔を通されるとともにゴムシート７と防水シート５とを貫いて、野地板４へ締め込まれている。ゴムシート７は、屋根葺き材６に設けられている孔への雨水の入り込みを防止する機能を担う。隙間９は、屋根葺き材６同士が重ね合わせられた箇所に生じ得る。雨水は、隙間９を通って屋根葺き材６と防水シート５との間に入り込むことがあり得る。実施の形態１にかかる固定構造１は、屋根葺き材６と防水シート５との間への雨水の入り込みによる野地板４への漏水を防ぐ。固定構造１による漏水の防止機能の詳細については後述する。
【００１７】
次に、図２から図６を参照して、本発明の実施の形態１にかかる屋外構造物の固定方法について説明する。図２は、実施の形態１にかかる屋外構造物の固定方法の第１の工程について説明する図である。第１の工程は、屋根葺き材６に下穴１１を形成する工程である。下穴１１は、切削工具であるドリル２０を使用して形成される。ドリル２０は、電動工具本体に取り付けられる。電動工具本体は、ドリル２０を回転駆動する。なお、図２では、電動工具本体の図示を省略している。図２では、屋根３のうち下穴１１が形成される部分の断面とドリル２０の側面とを示している。また、後述する治具２１の断面を示している。治具２１を構成する各部のうち、回転子２２および固定子２３についてはハッチングを付し、ベアリング２４および押しネジ２５についてはハッチングを省略している。
【００１８】
通常、木ネジ８の締め込みによる防水シート５と野地板４との穿孔は可能である一方で、金属板である屋根葺き材６については木ネジ８の締め込みによる穿孔はできないことから、ドリル２０を使用して屋根葺き材６に下穴１１が形成される。屋根葺き材６の穿孔に続けて、防水シート５にも孔が形成される。また、ドリル２０の先端２０ａが野地板４にまで到達することで、野地板４には木ネジ８の締め込みの際のガイドとなる凹部１３が形成される。
【００１９】
ドリル２０には、切削深さの調整のための工具である治具２１が装着される。治具２１の装着により、電動工具は、所望の深さにて穿孔を停止させる。治具２１は、固定子２３と、ベアリング２４を介して固定子２３に支持されている筒状の回転子２２とを備える。回転子２２の中心にドリル２０を貫通させた状態として、回転子２２に設けられている押しネジ２５が締め込まれることにより、回転子２２は、ドリル２０に固定される。ドリル２０の先端２０ａと固定子２３の先端２６との間の長さは、屋根葺き材６のうち屋外側の表面から穿孔を停止させる最深部までの深さと同じとなるように調整される。固定子２３のうち先端２６を含むとともに屋根３に向けられる端面２７は、ドリル２０の回転軸ＡＸから離れるにしたがい先端２０ａが向けられている側へ突出するように、回転軸ＡＸに垂直な面に対して傾斜している。先端２６は、固定子２３の外周面２８と端面２７との間の稜線に相当する。先端２６は、下穴１１の直径より大きい直径の円に沿って形成されている。
【００２０】
ドリル２０に治具２１を取り付けて、屋根葺き材６に先端２０ａを接触させてドリル２０を回転させることにより、屋根葺き材６の穿孔が開始される。ドリル２０を使用した穿孔により、屋根葺き材６に下穴１１が形成される。穿孔の際におけるドリル２０による屋根葺き材６の押し込みにより、ドリル２０を進行させる深さ方向へ曲がるように下穴１１の外縁が塑性変形する。これにより、屋根葺き材６のうち下穴１１の外縁には、屋内側へ突出する突起であるバリ１２が形成される。ドリル２０が押し下げられている間において、バリ１２は、防水シート５に密着している。
【００２１】
ドリル２０による穿孔が屋根葺き材６および防水シート５に続いて野地板４へと進行して、固定子２３の先端２６が屋根葺き材６に押し当てられたときに、ドリル２０のさらなる下降が抑制される。このとき、ベアリング２４を介する固定子２３と回転子２２との摩擦力は、先端２６と屋根葺き材６との摩擦力よりも極めて低いことから、回転子２２はドリル２０とともに回転する一方、固定子２３は回転せずに屋根葺き材６の上にとどまる。
【００２２】
固定子２３を回転させずに屋根葺き材６の上にとどめた状態として、屋根３へ治具２１を押し付けることにより、固定子２３の先端２６は、屋根葺き材６のうち下穴１１の周囲を押圧する。先端２６による押圧により、屋根葺き材６のうち下穴１１の周囲は、屋外側へめくれ上がるように塑性変形する。固定子２３に端面２７が設けられていることで、端面２７に代えて外周面２８に垂直な端面を屋根葺き材６に接触させることとした場合に比べて、固定子２３と屋根葺き材６との接触面積は小さくなる。固定子２３と屋根葺き材６との接触面積を小さくしたことで、固定子２３から屋根葺き材６へかけられる圧力を増大させることができる。
【００２３】
図３は、実施の形態１にかかる屋外構造物の固定方法の第２の工程について説明する図である。第２の工程は、屋根葺き材６と野地板４との間において、下穴１１の周囲に空隙１４を形成する工程である。図３には、図２に示すドリル２０が屋根３から引き抜かれた状態を示している。図３では、屋根３のうち下穴１１が形成された部分の断面を示している。
【００２４】
ドリル２０の押し下げをやめると、上述の治具２１による下穴１１の周囲の塑性変形により、屋根葺き材６と防水シート５との間に空隙１４が形成される。空隙１４の形成により、バリ１２は、防水シート５から屋外側へ離隔される。このように、実施の形態１では、屋根葺き材６へ固定子２３を押し当てることにより空隙１４を形成する。
【００２５】
図４は、実施の形態１にかかる屋外構造物の固定方法の第３の工程について説明する図である。第３の工程は、空隙１４にシール材１５を充填する工程である。図３では、注入ノズル３０の断面と屋根３の断面とを示している。
【００２６】
注入ノズル３０の先端が下穴１１に合わせられてから、注入ノズル３０から下穴１１へペースト状のシール材１５が注入される。シール材１５には、合成樹脂などが使用される。シール材１５は、下穴１１から空隙１４へ入り込んで空隙１４へ充填されるとともに、野地板４の凹部１３にも充填される。屋根３に充填されたシール材１５は硬化される。
【００２７】
図５は、図４に示す構成にゴムシート７と取付金具１０とが載置された状態を示す図である。図５では、ゴムシート７、取付金具１０および屋根３の各断面を示している。図５に示す矢印Ａは、後述する工程で木ネジ８が締め込まれる際における木ネジ８の進行方向である第１の方向を表す。矢印Ｂは、第１の方向とは逆の方向である第２の方向を表す。
【００２８】
ゴムシート７は、下穴１１と、下穴１１の周囲とを含む領域を覆うように配置される。取付金具１０には、木ネジ８が挿入される孔１６が設けられている。取付金具１０は、下穴１１の第２の方向側の位置に孔１６を一致させて、ゴムシート７に載置される。取付金具１０は、下穴１１が形成された屋根葺き材６との間に介在部品であるゴムシート７を介在させて載置される。なお、粘着性を有するゴムシート７が使用された場合、取付金具１０は、ゴムシート７により屋根葺き材６に貼り付けられる。
【００２９】
図６は、実施の形態１にかかる屋外構造物の固定方法の第４の工程について説明する図である。第４の工程は、取付金具１０に設けられた孔１６と下穴１１とを通された木ネジ８を野地板４へ締め込む工程である。図６では、ゴムシート７、取付金具１０および屋根３の各断面と木ネジ８の側面とを示している。
【００３０】
取付金具１０の孔１６から締め込まれた木ネジ８は、ゴムシート７への先端８ａの押し付けによりゴムシート７を突き破り、ゴムシート７を貫通する。木ネジ８は、ゴムシート７を貫通してからの締め込みにより、下穴１１および防水シート５の孔に充填されているシール材１５を貫通して、野地板４の凹部１３に先端８ａを到達させる。木ネジ８は、凹部１３に先端８ａが到達してから野地板４へ締め込まれていき、野地板４を貫通する。野地板４における木ネジ８の締め込みが進むにつれて木ネジ８の推力が増大する。取付金具１０、ゴムシート７および屋根葺き材６が、木ネジ８の頭部８ｂへ押し付けられて、太陽電池モジュール２を支持する取付金具１０が野地板４に固定される。なお、第４の工程では、木ネジ８は、野地板４を貫通するまで締め込まれなくても良く、野地板４の屋内側の面に先端８ａが到達するより前に締め込みが終えられても良い。
【００３１】
図１には、２つの木ネジ８により取付金具１０が固定されている様子が示されている。第１から第４の工程を経て野地板４へ各木ネジ８が締め込まれることにより、屋根３への取付金具１０の固定が完了する。なお、取付金具１０を固定する木ネジ８の数は２つに限られず任意であるものとする。
【００３２】
ここで、実施の形態１にかかる固定構造１による漏水の防止機能について説明する。図１に示す隙間９を通った雨水が屋根葺き材６と防水シート５との間にて木ネジ８へ向けて入り込んだ場合において、空隙１４に充填されているシール材１５は、木ネジ８までの雨水の進入を遮る。シール材１５にて雨水の進入が遮られることで、固定構造１は、木ネジ８を伝って野地板４の屋内側へ雨水が入り込むことによる漏水を低減できる。
【００３３】
固定構造１は、屋根３の屋外側からの作業によって屋根３に形成することが可能であり、屋根３の屋内側、すなわち屋根裏からの作業を要しない。実施の形態１によると、屋根裏からの作業による材料の注入あるいは補強材の取り付けなどを要する場合に比べて、容易な作業により漏水の低減を図ることができる。
【００３４】
実施の形態１によると、固定構造１は、木ネジ８の周囲において屋根葺き材６と防水シート５との間に形成された空隙１４にシール材１５が充填されていることで、木ネジ８の周囲から野地板４の屋内側への雨水の進入を低減可能とする。これにより、建築物を構成する建材への漏水を低減できるという効果を奏する。
【００３５】
実施の形態２．
次に、図７から図１２を参照して、本発明の実施の形態２にかかる屋外構造物の固定方法について説明する。実施の形態２では、取付金具１０に充填されたシール材１５を通された木ネジ８の締め込みにより、屋根葺き材６を押し上げて空隙を形成するとともに空隙にシール材１５を充填する。実施の形態２では、実施の形態１と同一の構成要素には同一の符号を付し、実施の形態１とは異なる構成について主に説明する。
【００３６】
図７は、実施の形態２にかかる屋外構造物の固定方法により下穴１１が形成された状態を示す図である。図７では、屋根３のうち下穴１１が形成される部分の断面を示すとともに、下穴１１の形成に使用されたドリル２０を破線により示している。実施の形態２においても、実施の形態１と同様に、図２に示す治具２１による切削深さの調整により下穴１１を形成しても良い。なお、実施の形態２では、治具２１の押し当てによる空隙１４の形成を行わないため、治具２１は、屋根葺き材６へかける圧力を増大可能としたものでなくても良い。実施の形態２にて使用される治具２１は、回転軸ＡＸに垂直な面に対して傾斜させた端面２７に代えて、回転軸ＡＸに垂直な端面を含む一般的な治具であっても良い。
【００３７】
ドリル２０による穿孔により、屋根葺き材６のうち下穴１１の外縁には、屋内側へ突出する突起であるバリ１２が形成される。バリ１２は、防水シート５に密着している。また、屋根葺き材６のうちバリ１２以外の部分は、防水シート５から若干屋外側へ持ち上げられる。
【００３８】
図８は、実施の形態２にかかる屋外構造物の固定方法により取付金具１０へシール材１５が充填された状態を示す図である。図８では、ゴムシート７、取付金具１０、屋根３および注入ノズル３０の各断面を示している。
【００３９】
ゴムシート７は、下穴１１と、下穴１１の周囲とを含む領域を覆うように配置される。取付金具１０は、下穴１１が形成された屋根葺き材６に、ゴムシート７を介して載置される。取付金具１０は、下穴１１の第２の方向側の位置に孔１６を一致させて載置される。
【００４０】
ゴムシート７と取付金具１０とが配置されてから、注入ノズル３０の先端が孔１６に合わせられて、注入ノズル３０から孔１６へペースト状のシール材１５が注入される。シール材１５は、ゴムシート７を底とする孔１６内の空間に充填される。シール材１５が充填されると、シール材１５が硬化するより前に、孔１６に充填されたシール材１５を通された木ネジ８が締め込まれる。
【００４１】
図９は、図７に示す下穴１１およびその周囲の部分と木ネジ８のうち先端８ａを含む部分との拡大図である。木ネジ８は、軸部３２と、軸部３２の側面に螺旋状に形成されたネジ山３３とを有する。軸部３２は、ストレート部３２ａとテーパ部３２ｂとを有する。ストレート部３２ａは、直径が一定とされた円柱状の部分である。テーパ部３２ｂは、ストレート部３２ａの側から先端８ａへ向かうにしたがい先細りとされた部分である。図９には、木ネジ８のうち、ストレート部３２ａの一部と、テーパ部３２ｂとの側面を示している。
【００４２】
軸部３２に形成されているネジ山３３のうち、図９における紙面手前側へ向けられている部分であって、先端８ａに最も近い部分３３ａの直径Ｄ２は、下穴１１の直径Ｄ１より小さい。ネジ山３３の直径は、先端８ａからストレート部３２ａ側へ向かうにしたがい漸次大きくなり、ストレート部３２ａにて一定となる。木ネジ８の外径である呼び径Ｄ４は、ネジ山３３のうちストレート部３２ａに形成されている部分３３ｃの直径である。テーパ部３２ｂに形成されているネジ山３３には、下穴１１の直径Ｄ１より大きくかつ呼び径Ｄ４より小さい直径Ｄ３の部分３３ｂが含まれる。また、部分３３ｂが形成されている位置におけるテーパ部３２ｂの直径Ｄ５は、下穴１１の直径Ｄ１より小さい。
【００４３】
図１０は、実施の形態２にかかる屋外構造物の固定方法により木ネジ８が締め込まれている状態を示す第１の図である。図１０では、木ネジ８の締め込みにより、木ネジ８の先端８ａが野地板４へ入り込んでいる様子を示している。
【００４４】
シール材１５が充填された孔１６から締め込まれた木ネジ８は、ゴムシート７への先端８ａの押し付けによりゴムシート７を突き破り、ゴムシート７を貫通する。木ネジ８は、ゴムシート７を貫通してからの締め込みにより、下穴１１および防水シート５の孔を通されて、野地板４の凹部１３に先端８ａを到達させる。木ネジ８は、凹部１３に先端８ａが到達してから野地板４へ締め込まれていく。
【００４５】
図９に示す呼び径Ｄ４は、図１０に示す孔１６の内径Ｄ６と同じであるか、内径Ｄ６より若干大きい。内径Ｄ６より若干大きいとは、締め込みにおけるネジ山３３または孔１６の変形により木ネジ８を孔１６へ締め込み可能な程度に大きいことを指すものとする。呼び径Ｄ４が内径Ｄ６と同じか内径Ｄ６より若干大きいため、ネジ山３３と孔１６の壁とは隙間なく接触する。このため、木ネジ８の締め込みの際における第２の方向へのシール材１５の漏れ出しは抑制される。孔１６内のシール材１５は、木ネジ８の締め込みに伴って孔１６から第１の方向へ押し出される。
【００４６】
木ネジ８の材料には、取付金具１０の材料より硬い材料が使用されても良い。取付金具１０の材料にアルミニウムが使用される場合に、木ネジ８の材料には、アルミニウムより硬い材料である鉄が使用されても良い。木ネジ８の材料を、取付金具１０の材料より硬い材料としたことで、呼び径Ｄ４が内径Ｄ６より大きい場合において、ネジ山３３により孔１６の内壁を削りながら木ネジ８を締め付け可能とする。また、複数の下穴１１における下穴１１同士の距離と孔１６同士の距離とにずれが生じている場合においても、取付金具１０の材料より硬い材料とすることで、ネジ山３３により孔１６の内壁を削りながら木ネジ８を締め付けることができる。
【００４７】
図１１は、実施の形態２にかかる屋外構造物の固定方法により木ネジ８が締め込まれている状態を示す第２の図である。図１１では、図１０に示す状態よりも野地板４の屋内側への木ネジ８の締め込みが進められている様子を示している。
【００４８】
ネジ山３３のうち図９に示す直径Ｄ１より小さい直径Ｄ２の部分３３ａが下穴１１を通過するときには、木ネジ８は下穴１１の壁面に接触せずに締め込まれる。一方、直径Ｄ１より大きい直径Ｄ３の部分３３ｂが下穴１１を通過してからは、木ネジ８は下穴１１に接触しながら締め込まれる。下穴１１に木ネジ８を接触させながらの締め込みにより、木ネジ８は、第１の方向への進行に伴って屋根葺き材６を第２の方向へ押し退ける。屋根葺き材６は、木ネジ８の締め込みにより、下穴１１を中心として第２の方向へ押し上げられる。このように、実施の形態２では、木ネジ８の締め込みにより屋根葺き材６を第２の方向へ押し上げて、屋根葺き材６と防水シート５との間における下穴１１の周囲に空隙３４を形成する。
【００４９】
また、直径Ｄ３の部分３３ｂが下穴１１を通過しているときに、下穴１１から第１の方向へのシール材１５の漏れ出しが抑制されるとともに、孔１６からのシール材１５が下穴１１へ押し込められることにより、下穴１１にてシール材１５が圧縮される。部分３３ｂが下穴１１を通過してから、図９に示すテーパ部３２ｂのうちネジ山３３の部分３３ｂ以外の直径Ｄ５の部分が直径Ｄ１の下穴１１を通過するときに、下穴１１にて圧縮されていたシール材１５が、テーパ部３２ｂと下穴１１との間を通って空隙３４へ押し出される。このように、実施の形態２では、木ネジ８の締め込みに伴うシール材１５の押し出しにより、空隙３４にシール材１５を充填する。
【００５０】
図１２は、実施の形態２にかかる屋外構造物の固定方法により木ネジ８が締め込まれた状態を示す図である。木ネジ８は、図１１に示す状態から野地板４へ締め込まれていき、野地板４を貫通する。取付金具１０、ゴムシート７、屋根葺き材６および防水シート５が、木ネジ８の頭部８ｂと野地板４との間にて押さえ付けられることで、屋根葺き材６と防水シート５との間にシール材１５が充填された状態で、図１１に示す空隙３４が閉じられる。なお、木ネジ８は、野地板４を貫通するまで締め込まれなくても良く、野地板４の屋内側の面に先端８ａが到達するより前に締め込みが終えられても良い。
【００５１】
屋根葺き材６と防水シート５との間に充填されているシール材１５は、屋根葺き材６と防水シート５との間に入り込んで木ネジ８へ向かう雨水の進入を遮る。シール材１５にて雨水の進入が遮られることで、固定構造１は、木ネジ８の周囲から野地板４の屋内側への雨水の進入を低減できる。
【００５２】
図１３は、実施の形態２の変形例にかかる屋外構造物の固定方法において使用される木ネジ３５の要部側面を示す図である。木ネジ３５の軸部３２には、スリット３６が形成されている。図１３では、スリット３６を正面に向けた状態として、木ネジ３５のうちストレート部３２ａの一部とテーパ部３２ｂとを示している。スリット３６は、部分３３ａとストレート部３２ａとの間においてテーパ部３２ｂ内のネジ山３３と軸部３２とを一直線状に切り欠いたような形状をなす溝である。
【００５３】
図１１に示す木ネジ８と同様に、シール材１５が充填されている孔１６から木ネジ３５を締め込んだ際に、シール材１５は、スリット３６を通って、空隙３４へ押し出される。実施の形態２の変形例の場合も、木ネジ３５の締め込みに伴うシール材１５の押し出しにより、空隙３４にシール材１５を充填することができる。
【００５４】
実施の形態２によると、固定構造１は、木ネジ８，３５の周囲において屋根葺き材６と防水シート５との間にシール材１５が充填されていることで、木ネジ８，３５の周囲から野地板４の屋内側への雨水の進入を低減可能とする。これにより、建築物を構成する建材への漏水を低減できるという効果を奏する。
【００５５】
実施の形態３．
次に、図１４および図１５を参照して、本発明の実施の形態３にかかる屋外構造物の固定方法について説明する。実施の形態３では、野地板４から屋根葺き材６を持ち上げることにより空隙を形成する。実施の形態３では、実施の形態１および２と同一の構成要素には同一の符号を付し、実施の形態１および２とは異なる構成について主に説明する。
【００５６】
図１４は、実施の形態３にかかる屋外構造物の固定方法によりシール材１５が充填された状態を示す図である。図１４では、ゴムシート７、取付金具１０、屋根３および注入ノズル３０の各断面を示している。シール材１５の充填より前に、屋根葺き材６には、実施の形態２と同様の手法により下穴１１が形成される。ゴムシート７には、孔３７が設けられている。ゴムシート７は、下穴１１の第２の方向側の位置に孔３７を一致させて、屋根葺き材６に載置される。取付金具１０は、孔３７の第２の方向側の位置に孔１６を一致させて、ゴムシート７に載置される。取付金具１０は、下穴１１が形成された屋根葺き材６との間に介在部品であるゴムシート７を介在させて載置される。
【００５７】
実施の形態３では、ゴムシート７は、弾性体からなるシートであり、かつ粘着性を有する。ゴムシート７には、弾性体であるとともに粘着性を備えるブチルゴムが使用される。取付金具１０は、ゴムシート７により屋根葺き材６に接着される。なお、下穴１１と、ゴムシート７の孔３７と、取付金具１０の孔１６とは、屋根３にゴムシート７および取付金具１０が載置されてから、ドリルを使用して形成されても良い。
【００５８】
下穴１１の第２の方向側の位置に孔１６，３７を一致させてゴムシート７および取付金具１０が載置された状態とされてから、取付金具１０が第２の方向へ持ち上げられる。取付金具１０がゴムシート７により屋根葺き材６に接着されているため、取付金具１０とともに、ゴムシート７および屋根葺き材６も第２の方向へ持ち上げられる。防水シート５に対して屋根葺き材６が第２の方向へ持ち上げられることにより、屋根葺き材６と防水シート５との間に空隙３８が形成される。このように、実施の形態３では、取付金具１０およびゴムシート７とともに野地板４および防水シート５から屋根葺き材６を持ち上げて空隙３８を形成する。
【００５９】
取付金具１０の持ち上げにより空隙３８が形成されている状態において、注入ノズル３０から孔１６へペースト状のシール材１５が注入される。シール材１５は、孔１６から孔３７、下穴１１および凹部１３へ進入するとともに、下穴１１から空隙３８へ入り込む。空隙３８へシール材１５が入り込んだ状態とされてから、取付金具１０の持ち上げを終了する。取付金具１０の持ち上げを終了することで、屋根葺き材６と防水シート５との間にシール材１５が充填された状態で、空隙３８が閉じられる。孔３７，１６と屋根３とに充填されたシール材１５は硬化される。
【００６０】
図１５は、実施の形態３にかかる屋外構造物の固定方法により木ネジ８が締め込まれた状態を示す図である。取付金具１０の孔１６から締め込まれた木ネジ８は、孔３７および下穴１１を通り、野地板４へ締め込まれる。
【００６１】
屋根葺き材６と防水シート５との間に充填されているシール材１５は、屋根葺き材６と防水シート５との間に入り込んで木ネジ８へ向かう雨水の進入を遮る。シール材１５にて雨水の進入が遮られることで、固定構造１は、木ネジ８の周囲から野地板４の屋内側への雨水の進入を低減できる。これにより、実施の形態３においても、固定構造１は、建築物を構成する建材への漏水を低減できるという効果を奏する。
【００６２】
実施の形態４．
次に、図１６および図１７を参照して、本発明の実施の形態４にかかる屋外構造物の固定方法について説明する。実施の形態４では、集塵機の吸引力により野地板４から屋根葺き材６を持ち上げて空隙を形成する。実施の形態４では、実施の形態１から３と同一の構成要素には同一の符号を付し、実施の形態１から３とは異なる構成について主に説明する。
【００６３】
図１６は、実施の形態４にかかる屋外構造物の固定方法によりシール材１５が充填された状態を示す図である。集塵機４０は、ダクト４１からの塵埃の吸引を行う機器である。実施の形態４において使用される注入ノズル３０は、ダクト４１と一体とされている。注入ノズル３０およびダクト４１は、実施の形態４にかかる屋外構造物の固定方法において使用される工具を構成する。図１６では、屋根３、注入ノズル３０および集塵機４０の各断面を示している。シール材１５の充填より前に、屋根葺き材６には、実施の形態２と同様の手法により下穴１１が形成される。
【００６４】
集塵機４０のダクト４１は、注入ノズル３０の周囲を取り囲むとともに、注入ノズル３０と同心円状に配置されている。集塵機４０は、注入ノズル３０によるシール材１５の注入が停止されている状態において、屋根葺き材６および野地板４の穿孔の際に生じる切り屑の除去に使用される。
【００６５】
注入ノズル３０の先端を下穴１１に合わせてから、集塵機４０による吸引が開始されることにより、屋根葺き材６のうち下穴１１の周囲の部分がダクト４１へ引き寄せられる。屋根葺き材６は、下穴１１の周囲の部分がダクト４１へ引き寄せられることにより、第２の方向へ持ち上げられる。防水シート５に対して屋根葺き材６が第２の方向へ持ち上げられることで、屋根葺き材６と防水シート５との間に、空隙４２が形成される。このように、実施の形態４では、集塵機４０の吸引力によって野地板４および防水シート５から屋根葺き材６を持ち上げて空隙４２を形成する。
【００６６】
集塵機４０の吸引力により空隙４２が形成されている状態において、注入ノズル３０から下穴１１へペースト状のシール材１５が注入される。シール材１５は、下穴１１から凹部１３へ進入するとともに、下穴１１から空隙４２へ入り込む。このように、実施の形態４では、集塵機４０によるダクト４１からの吸引とともに注入ノズル３０がシール材１５を注入することにより空隙４２へシール材１５を入り込ませる。
【００６７】
空隙４２へシール材１５が入り込んだ状態とされてから、集塵機４０による吸引を停止させることにより、第２の方向への屋根葺き材６の持ち上げが解除される。屋根葺き材６の持ち上げが解除されることで、屋根葺き材６と防水シート５との間にシール材１５が充填された状態で、空隙４２が閉じられる。屋根３に充填されたシール材１５は硬化される。
【００６８】
図１７は、実施の形態４にかかる屋外構造物の固定方法により木ネジ８が締め込まれた状態を示す図である。ゴムシート７および取付金具１０は、シール材１５の注入を終了してから、実施の形態１と同様に配置される。取付金具１０の孔１６から締め込まれた木ネジ８は、ゴムシート７とシール材１５とを貫通して、野地板４へ締め込まれる。
【００６９】
屋根葺き材６と防水シート５との間に充填されているシール材１５は、屋根葺き材６と防水シート５との間に入り込んで木ネジ８へ向かう雨水の進入を遮る。シール材１５にて雨水の進入が遮られることで、固定構造１は、木ネジ８の周囲から野地板４の屋内側への雨水の進入を低減できる。これにより、実施の形態４においても、固定構造１は、建築物を構成する建材への漏水を低減できるという効果を奏する。
【００７０】
実施の形態４では、注入ノズル３０をダクト４１と一体としたことで、屋根葺き材６および野地板４の穿孔による切り屑の除去とシール材１５の注入とを交互に行う場合に、注入ノズル３０とダクト４１とを持ち替えなくても良い。このため、注入ノズル３０とダクト４１との持ち替えを要する場合と比べて、作業性の向上を図ることができる。
【００７１】
なお、実施の形態１から４において、屋根葺き材６は、金属板に限られず、金属材料以外の材料からなる板材であっても良い。屋根葺き材６は、木ネジ８の締め込みによる穿孔ができない程度の硬度を有する板材であれば良く、樹脂板などであっても良い。
【００７２】
実施の形態５．
次に、図１８から図２０を参照して、本発明の実施の形態５にかかる屋外構造物の固定方法について説明する。実施の形態５では、永久磁石の磁力により野地板４から屋根葺き材６を持ち上げて空隙を形成する。実施の形態５では、実施の形態１から４と同一の構成要素には同一の符号を付し、実施の形態１から４とは異なる構成について主に説明する。
【００７３】
図１８は、実施の形態５にかかる屋外構造物の固定方法によりシール材１５が充填された状態を示す図である。実施の形態５において使用される注入ノズル３０には、永久磁石５１が装着されている。永久磁石５１は、注入ノズル３０のうちシール材１５を流出させる側の端部を取り囲んで配置されている。実施の形態５では、屋根葺き材６は、磁性体である鉄が主成分とされている。屋根葺き材６は、鉄以外の磁性体が主成分とされても良い。
【００７４】
注入ノズル３０の先端が下穴１１に合わせられることにより、屋根葺き材６は、永久磁石５１へ引き寄せられて、第２の方向へ持ち上げられる。防水シート５に対して屋根葺き材６が第２の方向へ持ち上げられることにより、屋根葺き材６と防水シート５との間に空隙５２が形成される。このように、実施の形態５では、磁力によって野地板４および防水シート５から屋根葺き材６を持ち上げて空隙５２を形成する。
【００７５】
永久磁石５１の磁力により空隙５２が形成されている状態において、注入ノズル３０から下穴１１へペースト状のシール材１５が注入される。シール材１５は、下穴１１から凹部１３へ進入するとともに、下穴１１から空隙５２へ入り込む。このように、実施の形態５では、永久磁石５１の磁力により永久磁石５１へ屋根葺き材６を引き寄せるとともに注入ノズル３０がシール材１５を注入することにより空隙５２へシール材１５を入り込ませる。
【００７６】
空隙５２へシール材１５が入り込んだ状態とされてから、注入ノズル３０とともに永久磁石５１を屋根葺き材６から引き離すことにより、第２の方向への屋根葺き材６の持ち上げが解除される。屋根葺き材６の持ち上げが解除されることで、屋根葺き材６と防水シート５との間にシール材１５が充填された状態で、空隙５２が閉じられる。シール材１５は、屋根３に充填された状態にて硬化される。
【００７７】
図１７に示す実施の形態４の場合と同様に、シール材１５の注入を終了してから、ゴムシート７および取付金具１０が配置される。取付金具１０の孔１６から締め込まれた木ネジ８は、ゴムシート７を貫通して、野地板４へ締め込まれる。実施の形態５においても、固定構造１は、建築物を構成する建材への漏水を低減できるという効果を奏する。
【００７８】
次に、注入ノズル３０を含む工具である注入器について説明する。図１９は、実施の形態５にかかる屋外構造物の固定方法において使用される工具の一例である注入器５０を示す図である。注入器５０は、実施の形態５にかかる屋外構造物の固定方法において使用される工具である。注入器５０は、図１８に示す注入ノズル３０および永久磁石５１と、シール材１５が貯留されている円筒形のシール材容器５６と、注入器５０の転がり防止のための転がり防止部５３とを備える。なお、注入器５０を構成する各部の中心位置は、図１９に示す中心線Ｎ上に位置している。
【００７９】
転がり防止部５３は、永久磁石５１に接触させて注入ノズル３０に固定されている。転がり防止部５３は、磁性体である鉄を主成分として形成された部品である。転がり防止部５３の成分には、鉄以外の磁性体が含まれていても良い。転がり防止部５３は、矩形の外縁をなす板部５４と、板部５４の外縁から垂直に立てられた側部５５とを有する。なお、板部５４の外縁は、矩形以外の多角形をなすものであっても良い。
【００８０】
図２０は、図１９に示す注入器５０が屋根葺き材６に置かれている状態を示す図である。図２０において、注入器５０は、シール材容器５６のうち注入ノズル３０が設けられている端とは逆側の端を手前に向けた状態とされている。板部５４の矩形の各辺における側部５５と中心線Ｎとの間の長さｐは、シール材容器５６の外面と中心線Ｎとの間の長さｒより長い。円筒形をなすシール材容器５６では、長さｒは円筒形の半径である。
【００８１】
仮に、工具をシール材容器５６および注入ノズル３０のみの構成とした場合、シール材容器５６の外面が屋根葺き材６の表面に接することで、当該工具は屋根葺き材６の上にて容易に転がることとなる。水平面に対して傾斜させた屋根３では、当該工具は、重力の作用により容易に転がり始めて、静止されない限り転がり続けることになる。実施の形態５では、矩形の各辺における側部５５についてｐ＞ｒを満足する転がり防止部５３が設けられていることで、注入器５０は、屋根葺き材６の上に置かれたときに、側部５５の面が屋根葺き材６の表面に接した状態とされて屋根葺き材６の上にとどまる。
【００８２】
また、転がり防止部５３は、永久磁石５１との接触により磁性を帯びているため、磁性体を主成分とする屋根葺き材６に吸着される。側部５５の面が屋根葺き材６の表面に接した状態とされて、転がり防止部５３が磁力によって屋根葺き材６に吸着されることで、屋根葺き材６上での注入器５０の転がりを低減可能とする。注入器５０は、屋根葺き材６への転がり防止部５３の吸着により、水平面に対して傾斜している屋根葺き材６の面における転がりも低減できる。屋根葺き材６上での注入器５０の転がりを低減できることで、屋根３からの注入器５０の落下を防ぐことができる。
【００８３】
なお、転がり防止部５３は、板部５４の外縁がなす矩形のうち少なくとも１つの辺における側部５５について、ｐ＞ｒを満足すれば良い。ｐ＞ｒを満足する側部５５が屋根葺き材６に接した状態とされたときに屋根葺き材６の上に注入器５０をとどめることができるため、屋根葺き材６上にて注入器５０が転がり続ける事態を低減できる。板部５４の外縁が矩形以外の多角形をなす場合も、転がり防止部５３は、少なくとも１つの辺における側部５５についてｐ＞ｒを満足することで、屋根葺き材６上での注入器５０の転がりを防止できる。板部５４の外縁は、少なくとも１つの直線を含むものであれば良い。転がり防止部５３は、当該直線における側部５５についてｐ＞ｒを満足することで、屋根葺き材６上での注入器５０の転がりを防止できる。なお、転がり防止部５３は、板部５４と側部５５とからなるものに限られず、ｐ＞ｒを満足する部分を含み注入器５０の転がりを抑制可能な形状をなすものであれば良い。
【００８４】
屋根３全体における構造体の固定のために、複数本のシール材容器５６に貯留されたシール材１５が必要となることがある。実施の形態５によると、屋根３に置かれた注入器５０の落下を防止可能であることで、屋根３の上に複数の注入器５０を置いておき、シール材容器５６内のシール材１５が無くなるごとに注入器５０を持ち替えて、屋根３上での作業を継続することが可能となる。この場合、地上などに複数のシール材容器５６を準備しておき、屋根３上での作業においてシール材１５が不足するごとにシール材容器５６を地上まで取りに行く必要がある場合と比べて、作業性の向上を図ることができる。
【００８５】
実施の形態６．
次に、図２１および図２２を参照して、本発明の実施の形態６にかかる屋外構造物の固定方法について説明する。実施の形態６では、野地板４と防水シートとの間に空隙を形成する。実施の形態６では、実施の形態１から５と同一の構成要素には同一の符号を付し、実施の形態１から５とは異なる構成について主に説明する。
【００８６】
図２１は、実施の形態６にかかる屋外構造物の固定方法によりシール材１５が充填された状態を示す図である。実施の形態１から５では、防水シート５は、防水シート５のうち野地板４側の面に設けられている接着層により野地板４に接着されている。これに対し、実施の形態６の防水シート６１には、当該接着層が設けられていない。防水シート６１は、野地板４との接着のための接着層を有しない以外は、実施の形態１から５の防水シート５と同様であるものとする。
【００８７】
図２に示すドリル２０による下穴１１の形成の際に、ドリル２０と屋根葺き材６との摩擦による下穴１１の周囲の温度上昇により防水シート６１のアスファルトが溶融して、下穴１１の周囲に防水シート６１が接着することがある。
【００８８】
実施の形態６では、実施の形態５と同様に永久磁石５１の磁力により野地板４から屋根葺き材６を持ち上げることで、防水シート６１のうち下穴１１の周囲に接着している部分が屋根葺き材６とともに持ち上げられる。防水シート６１のうち下穴１１の周囲に接着している部分が野地板４から第２の方向へ持ち上げられるとともに、防水シート６１のうち下穴１１の周囲に接着している部分は野地板４の上にとどめられる。このように、実施の形態６では、野地板４から屋根葺き材６とともに防水シート６１を持ち上げることにより、野地板４と防水シート６１との間に空隙６２を形成する。
【００８９】
屋根葺き材６および防水シート６１の持ち上げにより空隙６２が形成されている状態において、注入ノズル３０から下穴１１へペースト状のシール材１５が注入される。シール材１５は、下穴１１から凹部１３と空隙６２とへ進入する。空隙６２へシール材１５が入り込んだ状態とされてから、屋根葺き材６の持ち上げが解除されることで、防水シート６１と野地板４との間にシール材１５が充填された状態で、空隙６２が閉じられる。屋根３に充填されたシール材１５は硬化される。なお、実施の形態６では、実施の形態５と同様の磁力を用いた方法による屋根葺き材６の持ち上げに代えて、実施の形態１から４のいずれかと同様の方法により屋根葺き材６を持ち上げることにより空隙６２を形成しても良い。
【００９０】
図２２は、実施の形態６にかかる屋外構造物の固定方法により木ネジ８が締め込まれた状態を示す図である。ゴムシート７および取付金具１０は、シール材１５の注入を終了してから、実施の形態１と同様に配置される。取付金具１０の孔１６から締め込まれた木ネジ８は、ゴムシート７とシール材１５とを貫通して、野地板４へ締め込まれる。
【００９１】
ここで、実施の形態６にかかる固定構造１による漏水の防止機能について説明する。図１に示す隙間９を通った雨水が屋根葺き材６と防水シート６１との間を伝って木ネジ８にまで進入した場合において、防水シート６１と野地板４との間に充填されているシール材１５は、防水シート６１から野地板４へ木ネジ８を伝うことによる雨水の入り込みを遮る。シール材１５にて雨水の進入が遮られることで、固定構造１は、木ネジ８を伝って野地板４の屋内側へ雨水が入り込むことによる漏水を低減できる。
【００９２】
実施の形態６によると、固定構造１は、木ネジ８の周囲において防水シート６１と野地板４との間にシール材１５が充填されていることで、野地板４の屋内側への雨水の進入を低減可能とする。これにより、建築物を構成する建材への漏水を低減できるという効果を奏する。
【００９３】
図１に示す太陽電池モジュール２には、風の作用により、屋根３から浮き上がる方向の力がかかる。力がかかることにより太陽電池モジュール２が振動することで、木ネジ８と野地板４との間に微細な隙間が生じることがある。木ネジ８を伝うことによる野地板４への雨水の進入が生じる場合、かかる隙間が生じることで屋内側への漏水が増えることとなるため、木ネジ８の増し締めが必要となる。木ネジ８の増し締めには、作業者が屋根３へ上るための足場の設置と太陽電池モジュール２の取り外しとが行われることとなるため、増し締めの頻度が高いほどメンテナンス費用が高騰することとなる。
【００９４】
実施の形態１から６にかかる屋外構造物の固定方法および固定構造１によると、木ネジ８を伝うことによる野地板４への雨水の進入をシール材１５によって遮ることができるため、漏水防止のための木ネジ８の増し締めの頻度を少なくすることができる。増し締めの頻度を少なくできることで、メンテナンス費用を抑制することができる。水平面に対して傾斜している屋根３に太陽電池モジュール２が設置されている場合、水平面に平行な屋根３に設置される場合に比べて、屋根３から浮き上がる方向の力を受け易いことから、メンテナンス費用を効果的に抑制することができる。
【００９５】
なお、実施の形態１から６にかかる屋外構造物の固定方法および固定構造１が適用される建築物は、構造物を固定可能な外装材を備える建築物であれば良く、一般住宅以外の建築物であっても良い。建築物の屋外側に設置される構造物は、太陽電池モジュール２以外に、電波を受信するアンテナなどの構造物であっても良い。構造物は、主に、建築物への強固な固定を要する重量物であるものとする。固定構造１は、水平面に対して傾斜させた屋根３以外に、水平面に平行な屋根に構造物を固定するものであっても良い。固定構造１は、建築物の屋根以外に、建築物の外壁に構造物を固定するものであっても良い。外装材は、建築物の外壁材であっても良い。
【００９６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００９７】
１  固定構造、２  太陽電池モジュール、３  屋根、４  野地板、５，６１  防水シート、６  屋根葺き材、７  ゴムシート、８，３５  木ネジ、８ａ，２０ａ，２６  先端、８ｂ  頭部、９  隙間、１０  取付金具、１０ａ  フランジ部、１１  下穴、１２  バリ、１３  凹部、１４，３４，３８，４２，５２，６２  空隙、１５  シール材、１６，３７  孔、２０  ドリル、２１  治具、２２  回転子、２３  固定子、２４  ベアリング、２５  押しネジ、２７  端面、２８  外周面、３０  注入ノズル、３２  軸部、３２ａ  ストレート部、３２ｂ  テーパ部、３３  ネジ山、３３ａ，３３ｂ，３３ｃ  部分、３６  スリット、４０  集塵機、４１  ダクト、５０  注入器、５１  永久磁石、５３  転がり防止部、５４  板部、５５  側部、５６  シール材容器。
【図１】
2019135369.tif 000003
【図２】
2019135369.tif 000004
【図３】
2019135369.tif 000005
【図４】
2019135369.tif 000006
【図５】
2019135369.tif 000007
【図６】
2019135369.tif 000008
【図７】
2019135369.tif 000009
【図８】
2019135369.tif 000010
【図９】
2019135369.tif 000011
【図１０】
2019135369.tif 000012
【図１１】
2019135369.tif 000013
【図１２】
2019135369.tif 000014
【図１３】
2019135369.tif 000015
【図１４】
2019135369.tif 000016
【図１５】
2019135369.tif 000017
【図１６】
2019135369.tif 000018
【図１７】
2019135369.tif 000019
【図１８】
2019135369.tif 000020
【図１９】
2019135369.tif 000021
【図２０】
2019135369.tif 000022
【図２１】
2019135369.tif 000023
【図２２】
2019135369.tif 000024